(57)【要約】【課題】２つの剤を吐出することのできる吐出装置において、装置の小型化を図る。【解決手段】吐出装置１Ａが、第１剤Ａを収容する第１容器２と第２剤Ｂを収容する第２容器３とこれらに連通するポンプ装置１０を有し、ポンプ装置１０が、シリンダー１２と該シリンダー１２内を摺動するピストン１３を有する。シリンダー１２内は、ピストン１３によって第１室１６と第２室１７に隔てられ、第１室１６と第２室１７にそれぞれ吸入弁１８-1、１８-2と吐出弁１９-1、１９-2が備えられている。ピストン１３がシリンダー１２内を往復することにより、第１剤Ａと第２剤Ｂが交互に吐出される。【選択図】図１Ａ
2008062975.tif 000002
【特許請求の範囲】
【請求項１】
第１剤を収容する第１容器と第２剤を収容する第２容器がポンプ装置と連通し、
ポンプ装置が、シリンダーと該シリンダー内を摺動するピストンを有し、
シリンダー内が、ピストンによって第１室と第２室に隔てられ、
第１室と第２室にそれぞれ吸入弁と吐出弁が備えられ、
ピストンが第２室側に摺動することにより第２室が圧縮され、第２室内に流入していた第２剤が吐出弁を通して吐出されると共に、第１室が膨張して第１剤が吸入弁を通して第１室に流入し、
ピストンが第１室側に摺動することにより第１室が圧縮され、第１室内に流入していた第１剤が吐出弁を通して吐出されると共に、第２室が膨張して第２剤が吸入弁を通して第２室に流入する吐出装置。
【請求項２】
ピストンを第２室側に押し込む力に対して反発するバネ材が設けられている請求項１記載の吐出装置。
【請求項３】
第１剤、第２剤が、それぞれ二剤式毛髪化粧料の第１剤、第２剤である請求項１又は２記載の吐出装置。
【請求項４】
第１室に連通する第１容器が、二剤式毛髪化粧料の第１剤を収容しており、第２室に連通する第２容器が二剤式毛髪化粧料の第２剤を収容している請求項３記載の吐出装置。
【発明の詳細な説明】
【技術分野】
【０００１】
本発明は、２つの剤をポンプ装置により交互に吐出させる吐出装置に関する。
【背景技術】
【０００２】
従来、二剤式毛髪化粧料として、例えば、酸化染料を含有する第１剤と、過酸化水素等の酸化剤を含有する第２剤とからなる二剤式の染毛剤が知られている。
【０００３】
このような毛髪化粧料は、保存安定性の点から、第１剤と第２剤とがそれぞれ別個の容
器に収容され、使用時に第１剤と第２剤とが混合される。この第１剤と第２剤を同時に吐
出させる装置として、例えば、特許文献１には、シリンダーとピストンからなるポンプ装置を２つ並置し、これらのピストンを同時に動かすことができるようにレバーを設けたものが提案されている。
【０００４】
【特許文献１】特開２００５−１２６１４４号公報
【発明の開示】
【発明が解決しようとする課題】
【０００５】
しかしながら、一つの吐出装置に２つのシリンダーを並置することは装置の小型化に支障をきたす。
【０００６】
これに対し、本発明は、２つの剤を吐出することのできる吐出装置において、装置の小型化を図ることを目的とする。
【課題を解決するための手段】
【０００７】
本発明は、シリンダー内をピストンによって２室に区分し、シリンダー内をピストンが往復運動するのに伴い、第１剤と第２剤が交互に吐出されるようにすると、２つの剤を吐出する装置をコンパクトに構成できることを見いだした。
【０００８】
即ち、本発明は、第１剤を収容する第１容器と第２剤を収容する第２容器がポンプ装置と連通し、
ポンプ装置が、シリンダーと該シリンダー内を摺動するピストンを有し、
シリンダー内が、ピストンによって第１室と第２室に隔てられ、
第１室と第２室にそれぞれ吸入弁と吐出弁が備えられ、
ピストンが第２室側に摺動することにより第２室が圧縮され、第２室内に流入していた第２剤が吐出弁を通して吐出されると共に、第１室が膨張して第１剤が吸入弁を通して第１室に流入し、
ピストンが第１室側に摺動することにより第１室が圧縮され、第１室内に流入していた第１剤が吐出弁を通して吐出されると共に、第２室が膨張して第２剤が吸入弁を通して第２室に流入する吐出装置を提供し、特に、ピストンを第２室側に押し込む力に対して反発するバネ材が設けられている態様を提供する。
【発明の効果】
【０００９】
本発明の吐出装置によれば、一つのシリンダーで、２つの剤を交互に吐出することができるので、２つの剤を簡便に、かつコンパクトな装置で吐出させることが可能となる。
【００１０】
特に、ピストンを第２室側に押し込む力に対して反発するバネ材が設けた態様によれば、ピストンを手で押し込むことによって第２剤が吐出され、押し込む力を解放すると、バネ材の付勢によって第１剤が吐出されるので、少ない労力で２つの剤を容易に吐出させることが可能となる。
【発明を実施するための最良の形態】
【００１１】
以下、図面を参照しつつ、本発明を詳細に説明する。なお、各図中、同一符号は同一又は同等の構成要素を表している。
【００１２】
図２は、本発明の一態様の吐出装置１Ａの斜視図であり、図１Ａ〜図１Ｆは、この吐出装置１Ａの作用を示すポンプ装置１０部分の断面図である。
【００１３】
この吐出装置１Ａは、第１剤Ａを収容するチューブ状の第１の容器２、第２剤Ｂを収容するチューブの第２の容器３、及びこれら容器２，３を着脱自在に取り付けることのできるポンプ装置１０を備えている。
【００１４】
第１の容器２には、例えば、二剤式染毛剤の第１剤として、酸化染料を含有する剤が収容され、第２の容器３には、二剤式染毛剤の第２剤として、過酸化水素等の酸化剤を含有する剤が収容される。
【００１５】
容器２、３としては、変形可能で、内容物の吐出に応じて内容積が低減するものが好ましく、このような容器としては、例えば、ポリエチレン、ポリプロピレン等の軟質可撓性材料からなるチューブ容器を使用することができるが、二剤式染毛剤の第１剤の容器２としては、酸素バリア性を備えたものが好ましい。酸素バリア性材料としては、外層を低密度ないし高密度ポリエチレンやポリプロピレン等のポリオレフィン系樹脂から形成し、中間層をエチレン・ビニルアルコール共重合体フィルム、メタキシレンジアミンを用いたポリアミドフィルム等の酸素ガスバリア層、好ましくは水分バリア性、酸化染料のバリア性に優れた環状オレフィン系共重合体層から形成し、内層をポリオレフィン層とした積層構造の容器（特開２００２−３４５５４８号公報）とすることが好ましい。また、第２剤の容器３は、外層を低密度ポリエチレンから形成し、内層を直鎖低密度ポリエチレンから形成した、酸素ガスを透過する容器（特開２００２−８７４１８号公報）とすることが好ましい。
【００１６】
この他、容器２、３としては、チューブ容器に代えて、パウチ容器（袋）、内容液の吐出に応じて容器底部からポンプ装置側へ次第に上昇する可動中皿を備えた容器、容器が内層と外層の積層構造からなり、内層容器内が内容液の吐出に応じて減圧あるいは減容すると内層が剥離して内層容器が体積収縮するデラミボトル等を使用してもよい。
【００１７】
ポンプ装置１０は、ハウジング１１内にシリンダー１２と、シリンダー１２内を摺動するピストン１３を有しており、ピストン１３にはピストンロッド１４が延設され、その頂部には、ピストンロッド１４を指でシリンダー１２内に押し込みやすいように、円盤状のボタン１５が設けられている。
【００１８】
シリンダー１２内は、ピストン１３によって、第１室１６と第２室１７に隔てられている。このシリンダー１２は高密度ポリエチレン、ポリプロピレン等の合成樹脂から形成され、ピストン１３は低密度ポリエチレン等から形成される。
【００１９】
第１室１６には、容器２の口部の取付部に吸入弁１８-1が設けられ、その反対側に吐出弁１９-1が設けられている。第２室１７にも、容器３の口部の取付部に吸入弁１８-2が設けられ、その反対側に吐出弁１９-2が設けられている。吸入弁１８-1、１８-2、吐出弁１９-1、１９-2としては、樹脂バネ弁、１点弁、３点弁、ボール弁等を使用することができる。
【００２０】
なお、吐出装置１Ａの使用途中で各容器２、３をポンプ装置１０から外したときに、吸入弁１８-1、１８-2が容器２、３に装着されたままの状態となるように、吸入弁１８-1、１８-2は容器２、３の口部に設けてもよい。これにより、容器２、３をポンプ装置１０から外したときに、容器２、３内に空気が混入することを防止できる。したがって、容器内に空気が混入することによる内容液の酸化劣化を防止でき、また、再度その容器２、３をポンプ装置１０に取り付けて使用した場合に、吐出装置１Ａから剤と空気が混ざって吐出され、剤の吐出量が不安定となる、所謂エア噛みを防止することができる。
【００２１】
吐出弁１９-1、１９-2の外側には、吐出孔２０が設けられている。吐出孔２０は隔壁２１によって、第１剤Ａのための吐出孔２０ａと第２剤Ｂのための吐出孔２０ｂとに分けられている。
【００２２】
また、第２室１７内には、ピストン１３を第２室１７側に押し込む力に対して反発するバネ材２２が設けられている。
【００２３】
この吐出装置１Ａの使用方法としては、まず、図１Ａの初期状態から、図１Ｂのように、ボタン１５を指で押し込み、ピストン１３を第２室１７側に移動させる。これにより、第２室１７内の空気が圧縮され、吐出弁１９-2を通して押し出されると共に、第１室１６が膨張して減圧となり、吸入弁１８-1を通して第１剤Ａが第１室１６に流入する。ピストン１３を押し込みきった（図１Ｃ）後、ボタン１５の押圧を解除すると、図１Ｄに示すように、バネ材２２の反発力によってピストンロッド１４が押し戻され、それに伴い、ピストン１３が第１室１６側に移動する。これにより第１室１６が圧縮され、第１室１６に流入し、満たしていた第１剤Ａが吐出弁１９-1を通して吐出孔２０ａから吐出されると共に、第２室１７に、吸入弁１８-2を通して第２剤Ｂが流入する。
【００２４】
バネ材２２の反発力によって、ピストン１３がシリンダー１２内を上がりきると第１剤Ａの吐出が止まる（図１Ｅ）。この後、再度ボタン１５を押し込むと、第２室１７が圧縮され、図１Ｆのように、第２室１７に流入し、満たしていた第２剤Ｂが吐出弁１９-2を通して吐出孔２０ｂから吐出すると共に、第１室１６が膨張して減圧になり、吸入弁１８-1を通して第１剤Ａが第１室１６に流入する。以降、同様にボタン１５の押圧を解除すると第１剤Ａが吐出され、押圧すると第２剤Ｂが吐出され、ピストン１３がシリンダー１２内を往復するのに応じて、第１剤Ａと第２剤Ｂが交互に第１室１６と第２室１７の容積の変化分に相当する量で定量吐出されることとなる。
【００２５】
この形態のポンプ装置１０では、隔壁２１で吐出孔２０が分割されているので、第１剤Ａと第２剤Ｂとはポンプ装置１０の外で混合される。従って、保管している間に第１剤Ａと第２剤Ｂとの反応が流路内で進行することにより目詰まりなどの問題が発生することが防止できる。
【００２６】
また、この形態のポンプ装置１０では、吐出操作を止めた状態、即ち、ボタン１５の押圧を解除した状態で、第１剤Ａは第１室１６に実質上残存しないが、第２剤Ｂは第２室１７を満たしている。このまま放置すると、第２室１７を満たしている第２剤Ｂは徐々に空気中の酸素に曝されることになるが、第２剤Ｂとして空気中の酸素の影響を受け難いものを吐出させることにより、格別の問題は生じない。これに対し、第２室１７に流入する第２剤Ｂとして、酸化染料を含有する剤のように空気酸化されやすい剤を使用すると、一旦吐出装置１Ａを使用した後、保管している間に第２剤Ｂが劣化するので好ましくない。
【００２７】
本発明の吐出装置は種々の態様をとることができる。例えば、ピストン１３を第２室側に押し込む力に対して反発するバネ材２２は、第２室１７内に設ける他、図３に示すように、ハウジング１１の上面とボタン１５の間に設けてもよい。
【００２８】
また、図４に示すように、第１剤Ａの吐出孔と第２剤Ｂの吐出孔を区分せず、共通の吐出孔２０で第１剤Ａと第２剤Ｂが混ざるようにしてもよい。
【００２９】
図５の吐出装置１Ｂは、上述の吐出装置１Ａにおいて、ハウジング１１にレバー４を回動可能に取り付け、レバー４を握ることにより、ピストンロッド１４が下がり、ピストン１３がシリンダー１２内を第２室１７側に移動するようにしたものである。このようにレバー４を設けると、吐出装置の小型化を進めることはできないが、より少ない力でポンプ装置１０を作動させることが可能となる。
【００３０】
吐出孔２０には、用途に応じて、ノズル状としてもよく、櫛状、ブラシ状等の塗布具を取り付けてもよい。
【００３１】
容器２、３に充填する第１剤Ａ、第２剤Ｂの組み合わせとしては、上述の二剤式染毛剤の他、二剤を混合することで反応を開始する種々の剤、例えば、ブリーチ剤、ホットシェービング剤、接着剤等をあげることができる。
【産業上の利用可能性】
【００３２】
以上のように、本発明の吐出装置は、二剤形式の剤を交互に定量吐出させるのに好適である。
【図面の簡単な説明】
【００３３】
【図１Ａ】吐出装置のポンプ装置部分の断面図である。
【図１Ｂ】吐出装置のポンプ装置部分の断面図である。
【図１Ｃ】吐出装置のポンプ装置部分の断面図である。
【図１Ｄ】吐出装置のポンプ装置部分の断面図である。
【図１Ｅ】吐出装置のポンプ装置部分の断面図である。
【図１Ｆ】吐出装置のポンプ装置部分の断面図である。
【図２】吐出装置の斜視図である。
【図３】吐出装置のポンプ装置部分の断面図である。
【図４】吐出装置のポンプ装置部分の断面図である。
【図５】吐出装置の斜視図である。
【符号の説明】
【００３４】
Ａ      第１剤
Ｂ      第２剤
１Ａ、１Ｂ    吐出装置
２      第１の容器
３      第２の容器
４      レバー
１０    ポンプ装置
１１    ハウジング
１２    シリンダー
１３    ピストン
１４    ピストンロッド
１５    ボタン
１６    第１室
１７    第２室
１８-1、１８-2  吸入弁
１９-1、１９-2  吐出弁
２０、２０ａ、２０ｂ    吐出孔
２１    隔壁
２２    バネ材
【図１Ａ】
2008062975.tif 000003
【図１Ｂ】
2008062975.tif 000004
【図１Ｃ】
2008062975.tif 000005
【図１Ｄ】
2008062975.tif 000006
【図１Ｅ】
2008062975.tif 000007
【図１Ｆ】
2008062975.tif 000008
【図２】
2008062975.tif 000009
【図３】
2008062975.tif 000010
【図４】
2008062975.tif 000011
【図５】
2008062975.tif 000012